(57)【要約】【課題】道路種別と楽曲との関係に着目し、道路種別に関連する楽曲を選曲可能とし、ひいては、運転時にユーザが所望する楽曲を容易に選曲できる車載用音響装置、及び、その制御方法を提供すること。【解決手段】楽曲情報に基づいて楽曲を再生する車載用音響装置１０において、楽曲情報を予め道路種別と関連づけて記憶するＨＤＤ２２と、道路種別の中から一の道路種別を指定するための入力部１７と、指定された道路種別に基づいて、当該道路種別に関連する楽曲情報をＨＤＤ２２に記憶された楽曲情報の中から取得するための制御部２０とを備えた。【選択図】図１
2009123277.tif 000002
【特許請求の範囲】
【請求項１】
楽曲情報に基づいて楽曲を再生する車載用音響装置において、
前記楽曲情報を予め道路種別と関連づけて記憶する記憶手段と、道路種別の中から一の道路種別を指定する指定手段と、指定された道路種別に基づいて、当該道路種別に関連する楽曲情報を前記記憶手段に記憶された楽曲情報の中から取得する取得手段とを備えることを特徴とする車載用音響装置。
【請求項２】
自車両の位置情報に基づいて当該自車両が走行する道路種別を判別する道路種別判別手段と、所定の楽曲情報を再生中に、判別された道路種別を当該再生中の楽曲情報に関連づけて前記記憶手段に記憶する記憶制御手段とを備えることを特徴とする請求項１に記載の車載用音響装置。
【請求項３】
前記記憶手段には、道路種別ごとに当該道路種別に関連する楽曲情報の再生回数が記憶され、この再生回数に基づいて、当該楽曲情報の再生が行われることを特徴とする請求項１または２に記載の車載用音響装置。
【請求項４】
前記取得手段が取得した楽曲情報のリストを表示する表示手段と、この表示されたリスト中の楽曲情報のうち、少なくとも一の楽曲情報の再生を指示する再生指示手段とを備えることを特徴とする請求項１乃至３のいずれかに記載の車載用音響装置。
【請求項５】
前記指定手段は、前記道路種別判別手段が判別した道路種別に基づいて、前記道路種別を指定することを特徴とする請求項２乃至４のいずれかに記載の車載用音響装置。
【請求項６】
楽曲情報に基づいて楽曲を再生する車載用音響装置の制御方法において、
前記車載用音響装置は、前記楽曲情報を予め道路種別と関連づけて記憶する記憶手段を備え、
道路種別の中から一の道路種別を指定し、指定された道路種別に基づいて、当該道路種別に関連する楽曲情報を前記記憶手段に記憶された楽曲情報の中から取得することを特徴とする車載用音響装置の制御方法。
【発明の詳細な説明】
【技術分野】
【０００１】
本発明は、楽曲情報に基づいて楽曲を再生する車載用音響装置、及び、車載用音響装置の制御方法に関する。
【背景技術】
【０００２】
近年、楽曲情報に基づいて楽曲を再生する車載用音響装置では、ＨＤＤ（Hard Disk Drive）に楽曲情報を記憶して再生できるようにしたものが知られている（例えば、特許文献１参照）。この種の車載用音響装置では、ＨＤＤに記録可能な楽曲数は膨大であるため、その中からユーザが所望の楽曲を探す場合、アルバム、アーティスト、キーワード、登録日時などに基づいて楽曲の検索を行っていた。
【特許文献１】特開２００３−１４１８５５号公報
【発明の開示】
【発明が解決しようとする課題】
【０００３】
ところで、車両が走行する道路は、高速道路や一般道路等の複数の種別に分類され、これら道路種別により交通量や制限速度が異なるため、例えば、制限速度が速い高速道路ではアップテンポなロックが選ばれ、一般道路ではポップスが選ばれるといったように、運転時にユーザが所望する楽曲が道路種別によって異なる傾向にある。
そこで、本発明は、道路種別と楽曲との関係に着目し、道路種別に関連する楽曲を選曲可能とし、ひいては、運転時にユーザが所望する楽曲を容易に選曲できる車載用音響装置、及び、その制御方法を提供することを目的とする。
【課題を解決するための手段】
【０００４】
上記目的を達成するために、本発明は、楽曲情報に基づいて楽曲を再生する車載用音響装置において、前記楽曲情報を予め道路種別と関連づけて記憶する記憶手段と、道路種別の中から一の道路種別を指定する指定手段と、指定された道路種別に基づいて、当該道路種別に関連する楽曲情報を前記記憶手段に記憶された楽曲情報の中から取得する取得手段とを備えることを特徴とする。
この構成によれば、指定された道路種別に基づいて、当該道路種別に関連する楽曲情報を記憶手段に記憶された楽曲情報の中から取得するため、道路種別に関連する楽曲情報を選曲することができる。特に、ユーザが楽曲情報を再生する傾向を当該道路種別と関連づけて記憶しておけば、道路種別に基づいて、運転時にユーザの所望する楽曲を容易に選曲することができる。
【０００５】
また、この構成において、自車両の位置情報に基づいて当該自車両が走行する道路種別を判別する道路種別判別手段と、所定の楽曲情報を再生中に、判別された道路種別を当該再生中の楽曲情報に関連づけて前記記憶手段に記憶する記憶制御手段とを備える構成としても良い。
【０００６】
また、前記記憶手段には、道路種別ごとに当該道路種別に関連する楽曲情報の再生回数が記憶され、この再生回数に基づいて、当該楽曲情報の再生が行われる構成としても良い。
【０００７】
また、前記取得手段が取得した楽曲情報のリストを表示する表示手段と、この表示されたリスト中の楽曲情報のうち、少なくとも一の楽曲情報の再生を指示する再生指示手段とを備える構成としても良い。
【０００８】
また、前記指定手段は、前記道路種別判別手段が判別した道路種別に基づいて、前記道路種別を指定する構成としても良い。
【０００９】
また、本発明は、楽曲情報に基づいて楽曲を再生する車載用音響装置の制御方法において、前記車載用音響装置は、前記楽曲情報を予め道路種別と関連づけて記憶する記憶手段を備え、道路種別の中から一の道路種別を指定し、指定された道路種別に基づいて、当該道路種別に関連する楽曲情報を前記記憶手段に記憶された楽曲情報の中から取得することを特徴とする。
【発明の効果】
【００１０】
本発明によれば、指定された道路種別に基づいて、当該道路種別に関連する楽曲情報を記憶手段に記憶された楽曲情報の中から取得するため、道路種別に関連する楽曲情報を選曲することができる。特に、ユーザが楽曲情報を再生する傾向を当該道路種別と関連づけて記憶しておけば、道路種別に基づいて、運転時にユーザの所望する楽曲を容易に選曲することができる。
【発明を実施するための最良の形態】
【００１１】
以下、図面を参照して本発明の実施の形態について説明する。
本構成では、車載用音響装置の一態様として、車両の経路案内を行うナビゲーション機能を備えると共に、ＨＤＤ等の記録媒体に記録された楽曲情報に基づいて楽曲を再生する楽曲再生機能を備えるナビゲーション装置１０を例示する。
図１は、本実施形態に係るナビゲーション装置１０の機能的構成を示すブロック図である。この図に示すように、ナビゲーション装置１０は、ＧＰＳ（Global Positioning System）ユニット１１と、ジャイロユニット１２と、車速検出部１３と、ＦＭ受信部１４と、ビーコン受信部１５と、表示部１６と、入力部１７と、ユーザインターフェース部１８と、メモリカードスロット１９と、制御部２０と、ＨＤＤ制御部２１と、ＨＤＤ２２と、通信制御部２３と、楽曲再生部２５とを備えている。
【００１２】
ＧＰＳユニット１１は、ＧＰＳアンテナ１１Ａを介してＧＰＳ衛星からのＧＰＳ電波を受信し、ＧＰＳ電波に重畳されたＧＰＳ信号から、車両の現在地を示す位置座標と進行方向とを演算により取得すると共に、ＧＰＳ信号に含まれる日時情報と車両の現在地の時差とから車両の現在地における日時情報（年、月、日、時、分等）を演算により取得し、これら情報を制御部２０に出力する。
ジャイロユニット１２は、ジャイロセンサにより車両の相対的な方位を検出して制御部２０に出力し、車速検出部１３は、車両の車速パルスＰＳに基づいて車両の速度を演算により求め、制御部２０に出力する。
ＦＭ受信部１４は、ＦＭアンテナ１４Ａを介してＦＭ多重放送波を受信し、ＦＭ多重放送波に重畳された交通情報（ＶＩＣＳ（Vehicle Information and Communication System）情報）を取得し、所定の処理を施して制御部２０に出力する。また、ビーコン受信部１５は、ビーコン用アンテナ１５Ａを介して、ビーコン情報を受信し、所定の処理を施して制御部２０に出力する。
【００１３】
表示部（表示手段）１６は、例えば、タッチパネル付きの液晶表示装置が適用され、制御部２０の制御の下、検索された案内経路、施設を示した地図情報、道路種別リスト、もしくは検索された楽曲リスト等の各種情報が表示される。
入力部１７は、ナビゲーション装置１０が備える各種操作子やタッチパネルの操作を検出する操作検出部と、リモートコントローラ（図示せず）からの送信信号を受信する受信部等から構成され、ユーザからの各種指示を制御部２０に出力する。
本構成では、例えば、タッチパネルを介して、表示部１６に表示された楽曲リストの中からユーザが指示した少なくとも１の楽曲を楽曲再生部２５で再生可能に構成されており、入力部１７が楽曲情報の再生を指示する再生指示手段として機能する。また、入力部１７を介して、楽曲リスト中の楽曲再生を指示する場合には、このリスト中の楽曲を所定の順番（例えば、再生回数の多い順、登録日時の新しい順など）に応じて再生しても良いし、また、これら楽曲をランダムに再生しても良い。
また、本構成では、例えば、タッチパネルを介して、表示部１６に表示された道路種別リストの中からユーザが１の道路種別を選択して指定可能に構成されており、入力部１７が道路種別を指定する指定手段として機能する。
ユーザインターフェース部１８は、Ｉ／Ｏ制御回路やドライバ等であり、表示部１６及び入力部１７と、制御部２０とを接続するインターフェースである。また、メモリカードスロット１９は、制御部２０の制御の下、メモリカードに記憶されたデータの読み書きを行うためのスロットである。
【００１４】
制御部２０は、このナビゲーション装置１０全体を制御するものであり、本構成では、楽曲の検索動作時に、検索画面及び検索された楽曲リスト等の各種情報が表示される表示部１６の画面制御を実行する。また、制御部２０は、ＣＰＵ３０及びその周辺回路から構成され、ＣＰＵ３０は、ＲＯＭ３１に記憶された制御プログラム等の各種データを読み出し、入力部１７を介して入力されたユーザ指示に応じて、ナビゲーション装置１０の各部の制御処理を行う。また、ＤＲＡＭ３２は、ＣＰＵ３０のワークエリアに使用されるメモリであり、ＳＲＡＭ３３は、不揮発性メモリであり、車両のアクセサリ電源等の本装置のメイン電源がオフの間も、電池等でバックアップされてメモリ内容を保持するようにされている。また、ＶＲＡＭ３４は、表示部１６の表示用データが格納されるメモリである。
【００１５】
上記制御部２０は、ユーザにより動作モードとしてナビゲーションモードへの移行が指示されると、ＣＰＵ３０によりナビゲーションプログラムを実行し、表示部１６に地図等を表示する。具体的には、制御部２０は、ＧＰＳユニット１１とジャイロユニット１２との検出結果に基づき自車両の現在地及び進行方向を特定し、ＨＤＤ２２に記憶された地図データベース３５を利用したマップマッチングにより、表示部１６に自車両の現在地周辺の地図を表示させる。また、制御部２０は、目的地が設定された場合、目的地までの最適経路を計算し、表示地図中に表示して目的地まで経路案内処理を実行する。
地図データベース３５には、図２に示すように、道路情報の道路種別（例えば、高速道路、一般道路等）と道路ＩＤとの対応関係を予め定めた道路種別リスト４１が記憶されており、制御部２０は、道路種別リスト４１を用いて自車両が現在位置（走行、駐停車を含む）している道路種別を判別する。本構成では、制御部２０、ＧＰＳユニット１１、ジャイロユニット１２、ＨＤＤ２２が道路種別判別手段として機能する。
【００１６】
また、制御部２０は、所定の検索条件に基づいて、ＨＤＤ２２に記憶された楽曲データベース３６を利用して該当する楽曲情報を取得し、これら楽曲情報を表示部１６に楽曲リストとして表示する。本構成では、制御部２０は、指定された道路種別に基づいて、当該道路種別に関連する楽曲情報を楽曲データベース３６の中から取得する取得手段として機能する。
楽曲データベース３６には、図３に示すように、楽曲情報ごとに楽曲ＩＤ、アルバム名、楽曲名などが記憶されており、各楽曲情報は楽曲ＩＤによって管理されている。この楽曲ＩＤは、例えば、楽曲データベース３６に楽曲が登録された順序に従って付与される通し番号である。アルバム名は、当該楽曲情報が収録されたアルバムのタイトルであり、楽曲名は、当該楽曲情報のタイトルである。
【００１７】
ＨＤＤ制御部２１は、制御部２０の制御の下、ＨＤＤ２２を制御するものであり、ＨＤＤ２２に対してデータの記録、読み出しを行う。また、ＨＤＤ制御部２１は、楽曲再生部２５にて所定の楽曲を再生中に、判別された道路種別を当該再生中の楽曲に関連づけてＨＤＤ２２に記憶する。本構成では、ＨＤＤ制御部２１が記憶制御手段として機能する。
【００１８】
ＨＤＤ（記憶手段）２２は、各種データを読み書き可能に記憶する装置であり、表示部１６に表示する電子地図の道路、地名、建物等に係る情報が格納された上記地図データベース３５が記憶されている。また、このＨＤＤ２２には、楽曲ＩＤと楽曲情報とを関連づけて記憶するための楽曲データベース３６が記憶されている。この楽曲データベース３６には、道路種別ごとに、この道路種別と楽曲情報とを関連づけて記憶するための道路別楽曲テーブル４２Ａ〜４２Ｇが記憶されている。
これら道路別楽曲テーブル４２Ａ〜４２Ｇは、図４に示すように、道路種別ごとに、この道路種別に関連づけられた楽曲情報の楽曲ＩＤと、当該楽曲情報の再生回数とが記憶されているテーブルである。上記ＨＤＤ制御部２１は、所定の楽曲を再生した場合、この楽曲の楽曲ＩＤが判別された道路種別（例えば、道路ＩＤ：１）の道路別楽曲テーブル４２Ａに登録されているか否かを判別し、登録されていなければ、当該道路別楽曲テーブル４２Ａに当該楽曲ＩＤを登録し、既に登録されていれば、当該道路別楽曲テーブル４２Ａにおける当該楽曲ＩＤに対応する楽曲の再生回数に１を加算する。
【００１９】
通信制御部２７は、制御部２０の制御の下、このナビゲーション装置１０に接続された無線通信機器２８（例えば、携帯電話機）を介して情報センターやインターネットにアクセスし、無線通信ネットワークを介して各種情報を受信する。
楽曲再生部２５は、スピーカ装置やアンプなどを有し、制御部２０の制御下、ＨＤＤ２２に記憶された各種楽曲の再生出力を行う。
【００２０】
次に、動作について説明する。
図５は、再生された楽曲を道路種別に関連づけて道路別楽曲テーブル４２Ａ〜４２Ｇに記憶させる手順を示すフローチャートである。このフローチャートでは、ＨＤＤ２２の楽曲データベース３６に記憶された所定の楽曲が再生されていることが前提となる。
楽曲再生部２５によって楽曲の再生が始まると、制御部２０は、自車両が走行している道路種別に対応する道路ＩＤを取得する（ステップＳ１）。具体的には、制御部２０は、ＧＰＳユニット１１及びジャイロユニット１２の検出結果に基づき自車両の現在地及び進行方向を特定し、この自車両の現在地を地図データベース３５を用いてマップマッチングすることにより、当該自車両が位置（走行）する道路種別を判別する。そして、地図データベース３５に予め記憶された道路種別リスト４１に基づいて、判別された道路種別に対応する道路ＩＤを取得する。
【００２１】
続いて、制御部２０は、楽曲データベース３６に基づき、現在、楽曲再生部２５で再生されている楽曲に対応する楽曲ＩＤを取得する（ステップＳ２）。
【００２２】
続いて、制御部２０は、楽曲データベース３６からステップＳ１で判別された道路種別に対応する道路別楽曲テーブル４２を読み出し、この道路別楽曲テーブル４２の中に、ステップ２で取得した楽曲ＩＤが登録されているか否かを判別する（ステップＳ３）。
この判別において、道路別楽曲テーブル４２に当該楽曲ＩＤが既に登録されている場合（ステップＳ３；Ｙｅｓ）には、制御部２０は、道路別楽曲テーブル４２における楽曲ＩＤに対応する楽曲の再生回数に１を加算（ステップＳ４）して、処理をステップＳ６に移行する。
また、道路別楽曲テーブル４２に楽曲ＩＤが登録されていない場合（ステップＳ３；Ｎｏ）には、制御部２０は、道路別楽曲テーブル４２に当該楽曲ＩＤを追加して登録し、この楽曲ＩＤに対応する楽曲の再生回数を初期値（本実施形態では１）に設定する（ステップＳ５）。
【００２３】
続いて、制御部２０は、道路ＩＤと楽曲ＩＤとを再度取得し、これら道路ＩＤもしくは楽曲ＩＤが変更されたか否かを判別する（ステップＳ６）。ここで、道路ＩＤが変更された場合とは、車両が走行する道路種別が変更されることをいい、例えば、高速道路を走行していた車両が、高速道路から一般道路に降りて一般道路を走行するような場合をいう。
また、楽曲ＩＤが変更された場合とは、楽曲再生部２５で再生される楽曲が変更されることをいい、前の楽曲の再生が終了して次の楽曲の再生が開始される場合や、ユーザが前の楽曲の再生をスキップして次の楽曲の再生の開始を指示する場合を含む。
【００２４】
この判別において、道路ＩＤもしくは楽曲ＩＤが変更した場合（ステップＳ６；Ｙｅｓ）には、制御部２０は、処理をステップＳ３に戻し、変更された道路ＩＤもしくは楽曲ＩＤについてステップＳ３〜Ｓ５の処理を実行する。
ここで、ユーザが前の楽曲の再生をスキップして次の楽曲の再生の開始を指示した場合には、スキップ指示がなされたとしても、前に再生された楽曲はステップＳ３、Ｓ４により道路別楽曲テーブル４２に登録されることになる。しかしながら、道路別楽曲テーブル４２は、道路種別によってユーザの嗜好する楽曲の異なる傾向にあるといった前提に基づき、当該道路種別に関連づけられた楽曲が登録されるものである。このため、楽曲を所定時間（例えば、１分間）以上再生する前に、この楽曲をスキップする指示がなされた場合には、スキップした楽曲については道路別楽曲テーブル４２に登録しないような構成とすることが望ましい。
また、上記した判別において、道路ＩＤもしくは楽曲ＩＤが変更されていない場合（ステップＳ６；Ｎｏ）には、制御部２０は、楽曲再生部２５による楽曲再生が終了したか否かを判別する（ステップＳ７）。
この判別において、楽曲再生部２５による楽曲再生が終了していない（ステップＳ７；Ｎｏ）場合には、処理をステップＳ６に戻し、楽曲再生部２５による楽曲再生が終了した（ステップＳ７；Ｙｅｓ）には、処理を終了する。
【００２５】
次に、道路種別に基づいて楽曲を検索する手順について説明する。
図６Ａは、表示部１６に表示された楽曲検索画面５１を示したものである。この楽曲検索画面５１には、「アルバムから」「アーティストから」もしくは「道路別から」などに区分けされた楽曲の検索リスト５２が表示される。この検索リスト５２から「道路別から」５３を選択して指示すると、図６Ｂに示すように、制御部２０は、地図データベース３５から道路種別リスト４１（図２）を読み出して、表示部１６に道路種別選択画面５５が表示させる。
この道路種別選択画面５５には、道路種別リスト４１に基づいた道路リスト５６が表示され、この道路リスト５６からユーザが一の道路種別を選択できるようになっている。ここで、道路リスト５６からユーザが、例えば、「高速道路」５７を選択して指示すると、図６Ｃに示すように、制御部２０は、楽曲データベース３６から高速道路に対応する道路別楽曲テーブル４２Ａ（図４）を読み出して、表示部１６に楽曲選択画面５８を表示させる。
ここで、楽曲選択画面５８には、高速道路に対応する道路別楽曲テーブル４２Ａに基づいた楽曲リスト５９が表示され、この楽曲リスト５９からユーザが少なくとも一の楽曲（例えば、ａａａ）６０を選択して再生を指示できるようになっている。
また、本構成では、楽曲選択画面５８の楽曲リスト５９には、初期設定により、道路種別に対応する楽曲を再生回数の多い順序に並べて表示するようになっているが、楽曲選択画面５８には、これら楽曲を日付順（登録日時順）に並べかえるための日付順キー６１と、日付順に並べられた楽曲を再度、再生回数の多い順に並べかえるための回収順キー６２とが設けられている。
また、楽曲選択画面５８には、自動再生キー６３が設けられており、この自動再生キー６３を押下すると、上記楽曲リスト５９に表示された楽曲が表示された順序で再生される。このように、例えば、再生回数順に楽曲を再生することにより、ユーザが何度も聴いた（すなわち好きな）楽曲を優先的に再生することができ、ユーザの嗜好に合致した再生を行うことができる。
【００２６】
本実施形態によれば、楽曲情報に基づいて楽曲を再生する車載用音響装置１０において、楽曲情報を予め道路種別と関連づけて記憶するＨＤＤ２２と、道路種別の中から一の道路種別を指定するための入力部１７と、指定された道路種別に基づいて、当該道路種別に関連する楽曲情報をＨＤＤ２２に記憶された楽曲情報の中から取得するための制御部２０とを備えるため、道路種別に関連する楽曲情報を容易に選曲することができる。特に、ユーザが楽曲情報を再生する傾向を当該道路種別と関連づけて記憶しておけば、例えば、高速道路ではロック、一般道路ではポップスを良く聴く傾向にあるというユーザの傾向を的確に捉えた選曲を行うことが可能になる。
【００２７】
また、本実施形態によれば、自車両の位置情報に基づいて当該自車両が走行する道路種別を判別するための道路種別判別手段と、所定の楽曲情報を再生中に、判別された道路種別を当該再生中の楽曲情報に関連づけてＨＤＤ２２に記憶するＨＤＤ制御部２１とを備えたため、走行する道路種別と潜在的にユーザが好む楽曲とが自動的に関連づけられてＨＤＤ２２に記憶されるため、過去の蓄積によりユーザが良く聴く楽曲の傾向をより的確に捉えた選曲を行うことができる。
【００２８】
また、本実施形態によれば、ＨＤＤ２２には、道路種別ごとに当該道路種別に関連する楽曲情報の再生回数が記憶され、この再生回数に基づいて、当該楽曲情報の再生が行われるため、ユーザが何度も聴いた（すなわち好きな）楽曲を優先的に再生することができ、ユーザの嗜好に合致した再生を行うことができる。
【００２９】
また、本実施形態によれば、制御部２０が取得した楽曲情報のリストを表示する表示部１６と、この表示されたリスト中の楽曲情報のうち、少なくとも一の楽曲情報の再生を指示する入力部１７とを備えるため、ユーザは道路種別に関連する楽曲リストの中から所望する楽曲を選んで再生することができる。
【００３０】
以上、本実施形態を説明したが、本発明はこれに限定されるものではなく、種々の変更が可能である。例えば、本実施形態では、道路種別選択画面５５に表示された道路種別リスト４１の中からユーザが所望する道路種別を指定する構成としていたが、道路種別判別手段が判別した道路種別に基づいて、道路種別を自動的に指定する構成としても良い。この構成によれば、走行している道路種別に関連する楽曲が自動的に選曲されるため、道路種別ごとにユーザの嗜好に合致した選曲を容易に行うことができる。
【図面の簡単な説明】
【００３１】
【図１】本実施形態に係るナビゲーション装置の機能的構成を示すブロック図である。
【図２】道路ＩＤと道路種別との対応関係を予め定めた道路種別リストの一例を示した図である。
【図３】楽曲情報ごとに楽曲ＩＤ、アルバム名、楽曲名が記憶された楽曲データベースの一例を示した図である。
【図４】道路種別に関連づけられた楽曲情報の楽曲ＩＤと当該楽曲情報の再生回数とが記憶された道路楽曲道路別楽曲テーブルの一例を示した図である。
【図５】再生された楽曲を道路種別に関連づけて道路別楽曲テーブルに記憶させる手順を示すフローチャートである。
【図６】道路種別に基づいて楽曲を検索する手順を説明するための図であり、Ａは楽曲検索画面を示した図であり、Ｂは道路種別選択画面を示した図であり、Ｃは楽曲選択画面を示した図である。
【符号の説明】
【００３２】
１０  ナビゲーション装置（車載用音響装置）
１１  ＧＰＳユニット（道路種別判別手段）
１２  ジャイロユニット（道路種別判別手段）
１６  表示部（表示手段）
１７  入力部（指定手段、再生指示手段）
２０  制御部（道路種別判別手段、取得手段）
２１  ＨＤＤ制御部（記憶制御手段）
２２  ＨＤＤ（記憶手段、道路種別判別手段、指定手段）
２５  楽曲再生部
３５  地図データベース
３６  楽曲データベース
４１  道路種別リスト
４２  道路別楽曲テーブル
【図１】
2009123277.tif 000003
【図２】
2009123277.tif 000004
【図３】
2009123277.tif 000005
【図４】
2009123277.tif 000006
【図５】
2009123277.tif 000007
【図６】
2009123277.tif 000008